(57)【要約】【課題】  比較的に簡単な構成によって、カップホルダの照射による見栄えを変化させることができ、見る者に粗末感を与えないようにする。【解決手段】  飲物容器８０を挿入する上面開口部１１の開口周りに回動可能に配置されたリング状の操作部材２０を、所定箇所に配置されたＬＥＤモジュール９０によって照射するカップホルダ１０であって、操作部材２０は透明性を有する素材によって形成され、照射時の光道となる所定箇所には凹凸形状２６が形成されており、操作部材２０の回動操作を行うと、この回動運動に伴って、内側側面に形成された凹凸形状が順にＬＥＤ９１を通過する構成となっている。【選択図】        図１
2005297811.tif 000002
【特許請求の範囲】
【請求項１】
飲物容器を挿入する上面開口部の開口周りに回動可能に配置されたリング状の操作部材を、所定箇所に配置された照射手段によって照射するカップホルダであって、
前記操作部材は透明性を有する素材によって形成され、照射時の光道となる所定箇所には凹凸形状が形成されており、
前記操作部材の回動操作を行うと、この回動運動に伴って、前記所定箇所に形成された凹凸形状が順に照射位置を通過する構成となっていることを特徴とするカップホルダ。
【請求項２】
請求項１に記載のカップホルダであって、
前記操作部材の所定箇所に形成された凹凸形状は、該操作部材の回動方向にわたって複数設けられていることを特徴とするカップホルダ。
【請求項３】
請求項２に記載のカップホルダであって、
前記操作部材の所定箇所に形成された凹凸形状の起伏量が多段階となるように設定されていることを特徴とするカップホルダ。
【請求項４】
請求項３に記載のカップホルダであって、
前記所定箇所に形成された凹凸形状の起伏量は不規則的な多段階となるように設定されていることを特徴とするカップホルダ。
【請求項５】
請求項２から請求項４のいずれかに記載のカップホルダであって、
前記操作部材の所定箇所に形成された凹凸形状の回動方向の長さが多段階となるように設定されていることを特徴とするカップホルダ。
【請求項６】
請求項５に記載のカップホルダであって、
前記所定箇所に形成された凹凸形状の回動方向の長さは不規則的な多段階となるように設定されていることを特徴とするカップホルダ。
【発明の詳細な説明】
【技術分野】
【０００１】
本発明は、カップホルダに関する。詳しくは、自動車の車室内に設置されて、各種の飲料カップ等の飲物容器を載置した状態で保持することのできるカップホルダに関する。
【背景技術】
【０００２】
従来より、例えば、自動車の車室内には、インストルメントパネルやコンソールボックス等の所定の箇所において、飲料カップ等の飲物容器を一時的に保持しておくためのカップホルダが設置されている。具体的に述べると、カップホルダのホルダ本体には円形等の形状を有した上面開口部が形成されている。そして、使用時には、飲物容器をこの上面開口部内に落とし込むようにしてセットすることで、飲物容器を保持状態にすることができるようになっている。
また、上面開口部の開口周りにリング状の操作部材を設けて、この回動操作を行うことにより、ホルダ部分を上面開口部の内部に対して出没動できるようにしたものがある。すなわち、飲物容器の胴部の径が上面開口部の穴径よりも小となる場合に、この操作部材を回動操作してホルダ部分を出没動させることで、上面開口部の実質的な径の広狭を調整することができるようになっている。したがって、異なる径の飲物容器（大中小サイズの各種飲料カップや飲料缶など）を、簡単な操作によって、安定した保持状態にすることができる。
ところで、このようなカップホルダは、例えば、夜間などで車内が暗闇状態となると、その設置位置の視認が難しくなる。そこで、車内が暗闇状態の場合にもその位置の指標が明確となるように、例えば、ＬＥＤ等の光源によって操作部材の所定箇所を照射するようにしたものがある。具体的には、操作部材を透明性を有する素材によって形成し、この近傍位置に光源を設けて照射することにより、操作部材の透明部分から光を透過させて、位置の指標を明確にしている。なお、これに関連する技術としては、後記特許文献１が開示されている。
【０００３】
【特許文献１】特開２００３−１３７０１５号公報
【発明の開示】
【発明が解決しようとする課題】
【０００４】
しかしながら、上記従来の技術では、カップホルダの所定箇所に設置されたＬＥＤやバルブ等の光源から発せられる光は、操作部材の透明部分に対してスポット状に照射される。したがって、透明部分に光源位置が照映されてしまい、見る者に粗末感を与えるものとなった。また、透明部分に照射される光は、光源からの離間距離が増大するにつれて低劣となる。したがって、このように照射が局所的となって見栄えが悪くなることを回避するために、例えば、乱反射性を有するカバー（リフレクター）を介して間接的に操作部材の所定箇所を照射することでそのコントラストをかすませたりぼやかせたり、光源からの光導解析を行いこれに基づいた特殊形状のレンズを設けることで光源の位置をカモフラージュしたりしていた。しかしながら、このように部品点数を増大させることは、製造にかかるコストを増大させるばかりではなく、全体構成を複雑にするものとなった。
また、いずれにしても、照射されたカップホルダの見栄えは、操作部材の回動操作を行う等の一定の場合にも変化せず、常に単調なものであった。したがって、車室内インテリアとしての雰囲気に変化がなく、見る者を退屈させるものであった。加えて、その照射状態の単調さから、見栄えの悪さ（粗末感）をより一層目立たせることにもなった。
【０００５】
本発明は、上記した問題を解決するものとして創案されたものであって、本発明が解決しようとする課題は、比較的に簡単な構成によって、カップホルダの照射による見栄えを変化させることができ、見る者に粗末感を与えないようにすることにある。
【課題を解決するための手段】
【０００６】
上記課題を解決するために、本発明のカップホルダは次の手段をとる。
先ず、本発明の第１の発明は、飲物容器を挿入する上面開口部の開口周りに回動可能に配置されたリング状の操作部材を、所定箇所に配置された照射手段によって照射するカップホルダであって、操作部材は透明性を有する素材によって形成され、照射時の光道となる所定箇所には凹凸形状が形成されており、操作部材の回動操作を行うと、この回動運動に伴って、所定箇所に形成された凹凸形状が順に照射位置を通過する構成となっているものである。
ここで、リング状の操作部材により操作される対象部材としては、例えば、回動操作によって、飲物容器の側方からの保持状態を調整操作できるようにしたスライド式の蓋部材等のものが挙げられる。
この第１の発明によれば、操作部材の回動操作を行うと、操作部材に照射された光の明るさが変化する。詳しくは、照射時の光道となる所定箇所には凹凸形状が形成されており、操作部材の回動運動を行うと、この凹凸形状が照射位置を順に通過する。したがって、この凹凸形状による光の透過量の差異によって、操作部材の照射状態が変化する。
【０００７】
次に、本発明の第２の発明は、上述した第１の発明において、操作部材の所定箇所に形成された凹凸形状は、操作部材の回動方向にわたって複数設けられているものである。
この第２の発明によれば、操作部材の回動操作に伴って光の明るさの変化が繰返して行われる。
【０００８】
次に、本発明の第３の発明は、上述した第２の発明において、操作部材の所定箇所に形成された凹凸形状の起伏量が多段階となるように設定されているものである。
この第３の発明によれば、操作部材を回動操作すると、光の明るさの変化が多段階に現れる。
【０００９】
次に、本発明の第４の発明は、上述した第３の発明において、所定箇所に形成された凹凸形状の起伏量は不規則的な多段階となるように設定されているものである。
この第４の発明によれば、操作部材を回動操作すると、光の明るさの変化が多段階で且つ不規則的に現れる。すなわち、光の明るさの変化が常に段階的には推移せず、バラついて現れる。
【００１０】
次に、本発明の第５の発明は、上述した第２から第４のいずれかの発明において、操作部材の所定箇所に形成された凹凸形状の回動方向の長さが多段階となるように設定されているものである。
この第５の発明によれば、操作部材を回動操作すると、光の明るさの変化するタイミングが多段階となる。
【００１１】
次に、本発明の第６の発明は、上述した第５の発明において、所定箇所に形成された凹凸形状の回動方向の長さは不規則的な多段階となるように設定されているものである。
この第６の発明によれば、操作部材を回動操作すると、光の明るさの変化するタイミングが多段階で且つ不規則的となる。すなわち、光の明るさの変化するタイミングが常に段階的には推移せず、バラついて変化する。
【発明の効果】
【００１２】
本発明は上述した手段をとることにより、次の効果を得ることができる。
先ず、本発明の第１の発明によれば、比較的に簡単な構造によって、カップホルダの見栄えを変化させることができる。詳しくは、操作部材の回動操作を行うと、この回動運動に伴って照射状態を変化させることができる。したがって、車室内インテリアとしての雰囲気に変化を与えることができる。すなわち、単に照射によってカップホルダの位置を指標することに留まらず、回動操作に伴う面白さを演出することができる。
また、所定箇所に形成された凹凸形状によって、光源を目立たなくすることができる。したがって、見る者に与える見栄えの悪さ（粗末感）が解消される。
更に、本発明の第２の発明によれば、操作部材の回動操作に伴って、繰返して光の明るさを変化させることができる。したがって、上記した第１の発明の効果が一層現れる。
更に、本発明の第３の発明によれば、光の明暗が多様に切り換えられて変化するため、カップホルダを煌かせるように演出することができる。
更に、本発明の第４の発明によれば、光の明暗が不規則的に切り換えられて変化するため、不均斉な演出が行える。
更に、本発明の第５の発明によれば、光の明暗が様々なタイミングで切り換えられて変化するため、一層の面白さを演出することができる。
更に、本発明の第６の発明によれば、光の明暗が不規則的なタイミングで切り換えられて変化するため、より不均斉な演出が行える。
【発明を実施するための最良の形態】
【００１３】
以下に、本発明を実施するための最良の形態の実施例について、図面を用いて説明する。
図１〜図５は、カップホルダ１０の一実施例を示すものである。図１はカップホルダ１０の外観を示す斜視図、図２はカップホルダ１０の主要部についての分解斜視図、図３は図１のＡ−Ａ線断面図、図４は操作部材２０の凹凸形状２６を示す図、図５はカップホルダ１０の使用状態を示す図である。
本実施例のカップホルダ１０は、図１に良く示されるように、有底で上面が開口形状とされるカップ保持具７０の上部に、開口を同じくした開口部４１（図２で示す円周状に形成された摺動部４１ａ内）を有するリテイナー４０が設けられて上面開口部１１を形成している。また、図１及び図２に良く示されるように、この上面開口部１１の開口周りには、透明性を有した（半透明の）樹脂製のリング状の操作部材２０（中央の開口部２１によって上面開口部１１を形成している）が回動可能に配置されている。なお、本実施例においては、カップホルダ１０全体としての開口部を表す概念として上面開口部１１を用い、各構成要素に形成された単独の開口部を表す概念として開口部２１，４１を用いる。
更に、この操作部材２０の両縁側には、半透明の操作部材２０を照射する位置にＬＥＤ９１を配置したＬＥＤモジュール９０が設けられている。このＬＥＤモジュール９０は、夜間等の必要時に点灯されるイルミネーションランプに配線されて点灯される構成となっている。なお、ＬＥＤモジュール９０は、これ以外にも、例えば、シガーライターのソケットを電源としたり、内蔵式の乾電池を電源とする構成にしたものであってもよい。ここで、ＬＥＤモジュール９０が本発明の照射手段に相当する。
また、飲物容器８０（図５参照）をカップホルダ１０に載置するには、飲物容器８０を上面開口部１１内（操作部材２０のリング内）に挿入すればよい。これにより、飲物容器８０をカップ保持具７０の底面の上に載置することができる。
【００１４】
次に、図２に良く示されるように、リテイナー４０の案内部４２内には、２部材から成る板状の蓋部材３０が水平方向に挿入されている。また、これら蓋部材３０に形成された歯部３２ａがリテイナー４０の隅位置（２箇所）に回動可能に配置された歯車５０の下側歯部５２にそれぞれ連結されている。一方で、操作部材２０の歯部２３がこの歯車５０の上側歯部５１にそれぞれ連結されている。すなわち、操作部材２０と蓋部材３０とが歯車５０に連結された構成となっている。
【００１５】
次に、半透明の操作部材２０は、ＬＥＤ９１からの照射を受けると、その光を透過する。したがって、この透過された光は、操作部材２０の把持部２２の上面２２ｂ側に現れるため、例えば夜間等の暗闇状態の場合にも、見る者に対してその位置を明確に指標することができる。すなわち、図３及び図４に良く示されるように、カップホルダ１０の使用状態では、操作部材２０以外の構成がコンソールボックスのアッパーパネル１００に被覆されるため、操作部材２０のみが車室内に対して露出した状態となる。したがって、ＬＥＤ９１（光源）自体は車室内からは視認されず、操作部材２０の上面２２ｂなどの部位から透過した光が車室内から視認されることになる。
【００１６】
次に、上記カップホルダ１０の詳細な構成について説明する。
先ず、半透明のリング状の操作部材２０は、図１及び図２に良く示されるように、中央に形成された開口部２１と、使用時に手動操作を行う部位とされる把持部２２と、把持部２２の外周縁に形成された歯部２３と、鍔部２５と、を有して構成されている。詳しくは、歯部２３は、把持部２２の外周縁に沿って円弧状に２箇所形成されている。また、歯部２３が形成されたその他の外周縁部位には、鍔部２５が形成されており、その端側部位には切欠き部２４が形成されている。この切欠き部２４は、操作部材２０をリテイナー４０に装着する際の嵌め入れ部位として機能する。すなわち、操作部材２０の切欠き部２４をリテイナー４０に形成された嵌合爪４４に嵌め入れて回動させると、嵌合爪４４が鍔部２５に嵌合して鍔部２５の厚み方向への移動を規制する。なお、操作部材２０は、図３に良く示されるように、内部に形成された突出部位２７がリテイナー４０の摺動面４１ａに当接状態とされており、操作部材２０の回動操作を行うと、この突出部位２７が摺動面４１ａ上を摺動する。このようにして、操作部材２０がリテイナー４０に対して回動可能に配置されている。
【００１７】
また、図３及び図４に良く示されるように、把持部２２の内側側面２２ａには、この円弧方向（操作部材２０の回動方向）にわたって凹凸形状２６が複数設けられている。したがって、操作部材２０の回動操作を行うことにより、これら凹凸形状２６がＬＥＤ９１（照射位置）を順に通過する。このとき、照射された際の光の透過量は、凹凸形状２６のそれぞれの厚みの違いによって異なる。したがって、操作部材２０の回動操作を行うと、この回動運動に伴って操作部材２０を透過する光の明るさが変化する。
より詳しく述べると、凹凸形状２６の起伏量は不規則的な多段階となるように設定されている。したがって、照射された際の光の透過量（明暗）は、それぞれの凹凸による厚みの違いによって多段階に異なることになる。また、起伏が不規則的となるように配列されていることから、光の明暗は常に段階的には推移せず、バラついて現れる（変化する）ことになる。
更に、凹凸形状２６は、その円弧方向の長さが不規則的な多段階となるように設定されている。したがって、円弧方向の長さが多段階であることから、例えば、操作部材２０を一定の回動速度で回動操作しても、光の明るさの変化するタイミングが多段階となる。また、円弧方向の長さが不規則的となるように配列されていることから、光の明るさの変化するタイミングが常に段階的には推移せず、バラついて変化する。
ところで、上述した操作部材２０の歯部２３自体の形状も円弧方向にわたって凹凸形状となっている。したがって、ＬＥＤモジュール９０の配置によっては、この歯部２３が、操作部材２０の回動操作時にＬＥＤ９１を順に通過し、透過する光の明るさが変化する場合がある。
【００１８】
次に、図１及び図２に良く示されるように、歯車５０は、上側歯部５１と下側歯部５２とから成り、前述したように上側歯部５１が操作部材２０の歯部２３にそれぞれ噛合わせ状態とされている。したがって、操作部材２０の回動操作を行うことで、これら噛合わせ状態にある２つの歯車５０は、同時に回動（同一方向に）する。また、２つの歯車５０のそれぞれには、ギヤダンパー６０が接続されており、回動運動時に一定の抵抗力が付与されるようになっている。
【００１９】
次に、図１及び図２に良く示されるように、板状に形成された２つの蓋部材３０は、リテイナー４０の案内部４２内において摺動可能状態で配置されている。詳しくは、蓋部材３０の横縁側部位３２には歯部３２ａが形成されており、前述した歯車５０の下側歯部５２と噛合わせ状態とされている。更に、横縁側部位３２のその他の部位には歯部３２ａと突出量の等しい凸部３２ｂが複数形成されており、これら凸部３２ｂがリテイナー４０の案内部４２に当接状態とされる。更に、蓋部材３０の下面には横縁側部位３２の形成方向に凸条３３が複数形成されており、図３に良く示されるように、後述するカップ保持具７０の案内部７１に形成された凹条７１ａに対して、それぞれが緩やかに嵌合する構成とされている。
【００２０】
したがって、操作部材２０の回動操作によって歯車５０が回動運動すると、この回動力が蓋部材３０の水平方向移動運動に変換される。詳しくは、蓋部材３０は共に水平方向移動運動を行って相対的に接近方向または離間方向に移動する。ここで、２つの蓋部材３０の前縁側部位３１は、互いに突合されて嵌合する曲面形状とされている。したがって、操作部材２０の回動操作（閉操作）を行うと、蓋部材３０の前縁側部位３１が接近して突合されるため、上面開口部１１が閉鎖状態となる。このとき、図１に良く示されるように、蓋部材３０の上面に形成された係止爪３４がリテイナー４０に形成された係止溝４３に係合してストッパーとしての機能を果たす。なお、操作部材２０を反対方向に回動させれば、蓋部材３０が相対的に離間方向に移動するため、上面開口部１１が開放状態となる。このような簡単な操作（操作部材２０の回動操作）によって、カップホルダ１０の開閉操作が行える。
【００２１】
次に、リテイナー４０は、図２に良く示されるように、中央に形成された開口部４１と、上述した蓋部材３０を案内する案内部４２と、蓋部材３０の係止爪３４に係合する係止溝４３と、を有して構成されている。また、上面には嵌合爪４４が２箇所に形成されており、嵌め入れた操作部材２０の鍔部２５の厚み方向への移動を規制するようになっている。更に、操作部材２０の両縁側となる位置にＬＥＤモジュール９０を固定している。詳しくは、ＬＥＤ９１が操作部材２０を照射するようにして配置されている。
次に、カップ保持具７０は、図３に良く示されるように、蓋部材３０の凸条３３に緩やかに嵌合して案内する凹条７１ａが形成された案内部７１と、飲物容器８０を載置する底面を有した保持部７２と、を有して構成されている。なお、カップ保持具７０は、図３に良く示されるように、リテイナー４０に対して一体的に固定されている。
【００２２】
続いて、本実施例のカップホルダ１０の使用方法について説明する。
本実施例のカップホルダ１０は、図３及び図５に良く示されるように、アッパーパネル１００にリング状の操作部材２０が露出した状態で配置されている。また、ＬＥＤ９１は点灯状態とされており、操作部材２０を両縁側から照射している。したがって、照射された光は、半透明の操作部材２０を透過して、把持部２２の上面２２ｂ側に現れる。このとき、ＬＥＤ９１から照射された光は、操作部材２０に形成された凹凸形状２６によって明暗がぼやけて現れる。
次に、カップホルダ１０の上面開口部１１（開口状態）に飲物容器８０をセットする。そして、飲物容器８０の胴部の径が上面開口部１１の径よりも小さい場合には、リング状の操作部材２０の回動操作を行って、２つの蓋部材３０を相対的に接近方向に移動させる。
このとき、操作部材２０の回動運動に伴って、把持部２２の内側側面２２ａに形成された凹凸形状２６が順にＬＥＤ９１（照射位置）を通過する。これにより、ＬＥＤ９１から照射される光は、起伏量が不規則的な多段階となるように設定された凹凸形状２６によって、不規則的で、かつ、多段階に明暗を繰返すようにして変化する。更に、凹凸形状２６は、操作部材２０の回動方向の長さが不規則的な多段階となるように設定されているため、操作部材２０の回動操作を一定速度で行っても、光の明るさの変化するタイミングが不規則的で、かつ、多段階となる。
このような回動操作によって、２つの蓋部材３０を飲物容器８０の胴部に当接させて保持状態とすることができる。また、カップホルダ１０の上面開口部１１を再び開口状態にする場合には、操作部材２０を前述した回動方向とは反対方向に回動させればよい。これにより、前述した場合と同様にして、操作部材２０の回動運動に伴って、ＬＥＤ９１から照射される光の明るさが多様に変化する。
【００２３】
このように、本実施例のカップホルダ１０は、半透明に形成されたリング状の操作部材２０の回動操作を行うと、把持部２２の内側側面２２ａに形成された凹凸形状２６によって、ＬＥＤ９１から照射された光の透過量（明暗）を様々に変化させることができる。すなわち、このような簡単な構成（凹凸形状２６を形成した構成）によって、操作部材２０の回動操作時におけるカップホルダ１０の見栄えに変化を与えることができる。したがって、単にＬＥＤ９１による照射によってカップホルダ１０の位置を指標するに留まらず、操作部材２０の回動操作に伴う光の明るさの変化による面白さを演出することができる。
具体的には、凹凸形状２６の起伏量が多段階となるように設定されているため、操作部材２０の回動操作を行うと、ＬＥＤ９１から照射された光を煌かせるようにして演出することができる。また、この起伏が不規則的となるように配置される設定となっているため、不均斉な光の演出が行える。更に、凹凸形状２６の回動方向の長さが多段階となるように設定されているため、光の明るさの変化するタイミングを多段階に変化させて演出することができる。更に、凹凸形状２６の回動方向の長さは、不規則的となるように配置される設定となっているため、不均斉な光の演出を一層引き立たせることができる。
【００２４】
以上、本発明の実施形態を１つの実施例について説明したが、本発明は上記実施例のほか各種の形態で実施できるものである。
例えば、本実施例においては、把持部２２の内側側面２２ａに凹凸形状２６を形成したものを示したが、この凹凸形状２６は、把持部２２の上面２２ｂの内側に形成したものであっても良い。また、操作部材２０の鍔部２５（操作部の外側側面）に形成しても良い。この場合であっても、使用状態においては、これら凹凸形状が把持部２２やアッパーパネル１００によって被覆されるため、見栄えが損なわれない。
また、本実施例においては、凹凸形状２６の起伏が不規則的となるように配置されたものを示したが、規則的となるように配置されたものでもよい。この場合であっても、明暗が段階的に推移するなどして、一定の演出効果が得られる。更に、凹凸形状２６の回動方向の長さが不規則的となるように配置されたものを示したが、規則的となるように配置された場合であっても、一定の演出効果が得られる。その他にも、凹凸形状をしぼ状に形成したものであっても良い。
更に、ＬＥＤ９１の配置を操作部材２０の両縁側に１つずつ配置したものを示したが、この配置位置や数量は特に限定されるものではなく、使用用途に合わせて適宜決定すればよい。なお、本実施例の如く対向する２箇所にＬＥＤ９１を配置する（均等に配置する）と、リング上の操作部材２０の操作時に満遍なく光を照射することができる。
【図面の簡単な説明】
【００２５】
【図１】カップホルダの外観を示す斜視図である。
【図２】カップホルダの主要部についての分解斜視図である。
【図３】図１のＡ−Ａ線断面図である。
【図４】操作部材の凹凸形状を示す図である。
【図５】カップホルダの使用状態を示す図である。
【符号の説明】
【００２６】
１０    カップホルダ
１１    上面開口部
２０    操作部材
２１    開口部
２２    把持部
２２ａ  内側側面
２２ｂ  上面
２３    歯部
２４    切欠き部
２５    鍔部
２６    凹凸形状
２７    突出部位
３０    蓋部材
３１    前縁側部位
３２    横縁側部位
３２ａ  歯部
３２ｂ  凸部
３３    凸条
３４    係止爪
４０    リテイナー
４１    開口部
４１ａ  摺動面
４２    案内部
４３    係止溝
４４    嵌合爪
５０    歯車
５１    上側歯部
５２    下側歯部
６０    ギヤダンパー
７０    カップ保持具
７１    案内部
７１ａ  凹条
７２    保持部
８０    飲物容器
９０    ＬＥＤモジュール（照射手段）
９１    ＬＥＤ
１００  アッパーパネル
【図１】
2005297811.tif 000003
【図２】
2005297811.tif 000004
【図３】
2005297811.tif 000005
【図４】
2005297811.tif 000006
【図５】
2005297811.tif 000007